(57)【要約】【課題】使用者が使用対象を把握し易いペット用吸収性シートを提供する。【解決手段】ペット用吸収性シート(10)は、表面シートと裏面シートとの間に設けられた吸収体(20)と、吸収体と重なる領域において表面シートの裏面側に配置され、かつ表面シートの表面側から視認可能な着色部(80)と、を有する。着色部は、使用対象である対象ペットの顔を示すペット図柄(81)を有する。ペット図柄は、第１色で着色された第１ペット図柄(80A)と、第１色と異なる第２色で着色された第２ペット図柄(80B)と、を有する。第１色と第２色とが異なる色の程度が、オストワルト色相環によって分類された２４色の色票で、２以上ずれているものである。【選択図】図１
0003218665.tif 000002
【実用新案登録請求の範囲】
【請求項１】
表面側に配置される表面シートと、
裏面側に配置される裏面シートと、
前記表面シートと前記裏面シートとの間に設けられた吸収体と、
前記吸収体と重なる領域において前記表面シートの裏面側に配置され、かつ前記表面シートの表面側から視認可能な着色部と、を有するペット用吸収性シートであって、
前記着色部は、使用対象である対象ペットの顔を示すペット図柄を有し、
前記ペット図柄は、第１色で着色された第１ペット図柄と、前記第１色と異なる第２色で着色された第２ペット図柄と、を有し、
前記第１色と前記第２色とが異なる色の程度が、オストワルト色相環によって分類された２４色の色票で、２以上ずれているものである、ペット用吸収性シート。
【請求項２】
前記着色部は、前記対象ペット以外のペットを示す非対象図柄を有しない、請求項１に記載のペット用吸収性シート。
【請求項３】
前記着色部は、前記ペット図柄と、使用対象以外のペットを指標する非対象図柄と、を有し、
前記ペット図柄の数は、前記非対象図柄の数に対する２倍以上である、請求項１に記載のペット用吸収性シート。
【請求項４】
前記ペット図柄の最大寸法は、前記非対象図柄の最大寸法より大きい、請求項３に記載のペット用吸収性シート。
【請求項５】
前記非対象図柄の色は、最も近い位置に配置された前記ペット図柄の色と異なっており、該異なる色の程度が、オストワルト色相環によって分類された２４色の色票で２以上ずれているものである、請求項３又は請求項４に記載のペット用吸収性シート。
【請求項６】
前記ペット図柄は、使用対象である猫の顔を示す図柄である、請求項１から請求項５のいずれか１項に記載のペット用吸収性シート。
【請求項７】
前記吸収体の周囲に配置された周囲領域を有し、
前記周囲領域には、前記表面シートの表面側から視認可能な外周着色部が設けられており、
前記外周着色部は、前記第１色と類似色であり、該類似色の程度が、オストワルト色相環によって分類された２４色の色票で、同じ色票であるか色相番号が１つだけずれた範囲のものである、請求項１から請求項６のいずれか１項に記載のペット用吸収性シート。
【請求項８】
表面側に配置される表面シートと、
裏面側に配置される裏面シートと、
前記表面シートと前記裏面シートとの間に設けられた吸収体と、
前記吸収体と重なる領域において前記表面シートの裏面側に配置され、かつ前記表面シートの表面側から視認可能な着色部と、を有するペット用吸収性シートであって、
前記着色部は、使用対象である猫の顔を示すペット図柄を有し、前記使用対象以外のペットを示す非対象図柄を有しない、ペット用吸収性シート。
【請求項９】
前記ペット図柄の数は、前記図柄全体の数に対する５０％以上である、請求項１から請求項８いずれか１項に記載のペット用吸収性シート。
【請求項１０】
前記着色部は、前記ペット以外を示す補助図柄を有しており、
前記ペット図柄の数は、前記補助図柄の数以上である、請求項１から請求項９のいずれか１項に記載のペット用吸収性シート。
【請求項１１】
前記ペット図柄の最大寸法は、前記補助図柄の最大寸法よりも大きい、請求項１０に記載のペット用吸収性シート。
【請求項１２】
前記補助図柄の色は、最も近い位置に配置された前記ペット図柄の色と異なっており、該異なる色の程度が、オストワルト色相環によって分類された２４色の色票で、２以上ずれているものである、請求項１０又は請求項１１に記載のペット用吸収性シート。
【請求項１３】
前記ペット図柄は、前記使用対象の顔を含む身体全体を示す図柄である、請求項１から請求項１２のいずれか１項に記載のペット用吸収性シート。
【請求項１４】
前記吸収体と重なる領域において前記着色部の周囲設けられ、かつ前記表面シートの表面側から視認可能な背景部を有し、
前記ペット図柄の色は、前記背景部の色と異なっており、
前記異なる色の程度が、オストワルト色相環によって分類された２４色の色票で、２以上ずれている、請求項１から請求項１３のいずれか１項に記載のペット用吸収性シート。
【考案の詳細な説明】
【技術分野】
【０００１】
本考案は、ペットの排泄物、例えば尿を吸収するペット用吸収性シートに関する。
【背景技術】
【０００２】
ペットの排泄物、例えば尿を吸収するペット用吸収性シートが知られている（下記の特許文献１参照）。特許文献１に記載されたペット用吸収性シートは、液不透過性の裏面シートと、液透過性の表面シートと、裏面シートと表面シートとの間に位置する吸収体と、を有する。表面シートの下方には、ｐＨ判別部からなるデザインが施されている。当該デザインは、ペットの足跡を示している。特許文献１ペット用吸収シートは、ペットの足跡を示したデザインによって装飾性を高めることができる。
【先行技術文献】
【特許文献】
【０００３】
【特許文献１】特開２０１４−６８５９１号公報
【考案の概要】
【考案が解決しようとする課題】
【０００４】
しかし、特許文献１のペット用吸収性シートは、以下の問題があった。
【０００５】
複数種類のペットを飼っている使用者においては、ペット用吸収性シートをペット毎に使い分けている。具体的には、猫用の吸収性シートと、犬用の吸収性シートと、を使い分けている。しかし、特許文献１のペット用吸収性シートは、ペットの足跡を示しており、犬用の吸収性シートであるか、猫用の吸収性シートであるかを使用者が判別しにくい。また、犬用の吸収性シートに猫の足跡が示されている場合、使用者は、使用対象を誤って認識するおそれがあった。
【０００６】
よって、使用者が使用対象を把握し易いペット用吸収性シートが望まれる。
【課題を解決するための手段】
【０００７】
一態様に係るペット用吸収性シートは、表面側に配置される表面シートと、裏面側に配置される裏面シートと、前記表面シートと前記裏面シートとの間に設けられた吸収体と、前記吸収体と重なる領域において前記表面シートの裏面側に配置され、かつ前記表面シートの表面側から視認可能な着色部と、を有するペット用吸収性シートであって、前記着色部は、使用対象である対象ペットの顔を示すペット図柄を有し、前記ペット図柄は、第１色で着色された第１ペット図柄と、前記第１色と異なる第２色で着色された第２ペット図柄と、を有し、前記第１色と前記第２色とが異なる色の程度が、オストワルト色相環によって分類された２４色の色票で、２以上ずれているものである。
【０００８】
他の態様に係るペット用吸収性シートは、表面側に配置される表面シートと、裏面側に配置される裏面シートと、前記表面シートと前記裏面シートとの間に設けられた吸収体と、前記吸収体と重なる領域において前記表面シートの裏面側に配置され、かつ前記表面シートの表面側から視認可能な着色部と、を有するペット用吸収性シートであって、前記着色部は、使用対象である猫の顔を示すペット図柄を有し、前記使用対象以外のペットを示す非対象図柄を有しない。
【図面の簡単な説明】
【０００９】
【図１】第１実施形態に係るペット用吸収性シートの排泄面側から見た平面図である。
【図２】図１に示すＡ−Ａ線に沿ったペット用吸収性シートの模式的断面図である。
【図３】図１に示すＢ部分の拡大平面図である。
【図４】第２実施形態に係るペット用吸収性シートの排泄面側から見た平面図である。
【考案を実施するための形態】
【００１０】
（１）実施形態の概要
本明細書及び添付図面の記載により、少なくとも以下の事項が明らかとなる。
一態様に係るペット用吸収性シートは、表面側に配置される表面シートと、裏面側に配置される裏面シートと、前記表面シートと前記裏面シートとの間に設けられた吸収体と、前記吸収体と重なる領域において前記表面シートの裏面側に配置され、かつ前記表面シートの表面側から視認可能な着色部と、を有するペット用吸収性シートであって、前記着色部は、使用対象である対象ペットの顔を示すペット図柄を有し、前記ペット図柄は、第１色で着色された第１ペット図柄と、前記第１色と異なる第２色で着色された第２ペット図柄と、を有し、前記第１色と前記第２色とが異なる色の程度が、オストワルト色相環によって分類された２４色の色票で、２以上ずれているものである。
【００１１】
第１ペット図柄と第２ペット図柄を有することにより、装飾性を高め、使用者の注目を集めることができる。また、第１ペット図柄と第２ペット図柄が異なる色であるため、両者が一体化して認識されず、それぞれを目立たせることができる。使用者は、ペット図柄を視認することによって使用対象のペットを容易に把握できる。
【００１２】
好ましい一態様によれば、前記着色部は、前記対象ペット以外のペットを示す非対象図柄を有しなくてよい。
【００１３】
使用者は、ペット図柄を視認することにより、使用対象のペットを容易に把握できる。また、非対象図柄を有しないため、複数の使用対象のペットがいる場合であっても、対象を間違えることなく使用することができる。
【００１４】
好ましい一態様によれば、前記着色部は、前記ペット図柄と、使用対象以外のペットを指標する非対象図柄と、を有し、前記ペット図柄の数は、前記非対象図柄の数に対する２倍以上であってよい。
【００１５】
使用者は、ペット図柄を視認することにより、使用対象のペットを容易に把握できる。ペット図柄の数が非対象図柄の数の２倍以上であるため、使用者は、ペット図柄が対象であると認識し易く、使用対象を間違える不具合を抑制できる。複数の使用対象のペットがいる場合であっても、対象を間違えることなく使用することができる。
【００１６】
好ましい一態様によれば、ペット図柄の最大寸法は、前記非対象図柄の最大寸法より大きくてよい。
【００１７】
ペット図柄が非対象図柄よりも目立ちやすく、使用者は、ペット図柄を視認することによって使用対象のペットを容易に把握できる。
【００１８】
好ましい一態様によれば、前記非対象図柄の色は、最も近い位置に配置された前記ペット図柄の色と異なっており、該異なる色の程度が、オストワルト色相環によって分類された２４色の色票で２以上ずれているものであってよい。
【００１９】
使用者は、ペット図柄と非対象図柄を区別して認識し易くなる。使用者は、ペット図柄を視認することによって使用対象のペットを容易に把握できる。
【００２０】
好ましい一態様によれば、前記ペット図柄は、使用対象である猫の顔を示す図柄であってよい。
【００２１】
使用者は、ペット図柄を視認することにより、猫が使用対象であることを容易に把握できる。
【００２２】
好ましい一態様によれば、前記吸収体の周囲に配置された周囲領域を有し、前記周囲領域には、前記表面シートの表面側から視認可能な外周着色部が設けられており、前記外周着色部は、前記第１色と類似色であり、該類似色の程度が、オストワルト色相環によって分類された２４色の色票で、同じ色票であるか色相番号が１つだけずれた範囲のものであってよい。
【００２３】
外周着色部と第１色図柄を一体化して、装飾性を高め、使用者の注目を集めることができる。また、外周着色部と第１色図柄が一体化することにより、第２色図柄が相対的に目立ち易くなる。使用者は、第１色図柄又は第２色図柄を認識することによって使用対象のペットを容易に把握できる。
【００２４】
他の態様に係るペット用吸収性シートは、表面側に配置される表面シートと、裏面側に配置される裏面シートと、前記表面シートと前記裏面シートとの間に設けられた吸収体と、前記吸収体と重なる領域において前記表面シートの裏面側に配置され、かつ前記表面シートの表面側から視認可能な着色部と、を有するペット用吸収性シートであって、前記着色部は、使用対象である猫の顔を示すペット図柄を有し、前記使用対象以外のペットを示す非対象図柄を有しない。
【００２５】
使用者は、ペット図柄を視認することにより、猫が使用対象であることを容易に把握できる。また、猫以外のペットを示す非対象図柄を有しないため、複数の使用対象のペットがいる場合であっても、対象を間違えることなく使用することができる。
【００２６】
好ましい一態様によれば、前記ペット図柄の数は、前記図柄全体の数に対する５０％以上であってよい。
【００２７】
図柄全体においてペット図柄がよりも目立ちやすく、使用者は、ペット図柄を視認することによって使用対象のペットを容易に把握できる。
【００２８】
好ましい一態様によれば、前記着色部は、前記ペット以外を示す補助図柄を有しており、前記ペット図柄の数は、前記補助図柄の数以上であってよい。
【００２９】
補助図柄に対してもペット図柄が目立ちやすく、使用者は、ペット図柄を視認することによって使用対象のペットを容易に把握できる。
【００３０】
好ましい一態様によれば、前記ペット図柄の最大寸法は、前記補助図柄の最大寸法よりも大きくてよい。
【００３１】
ペット図柄が補助図柄よりも目立ちやすく、使用者は、ペット図柄を視認することによって使用対象のペットを容易に把握できる。
【００３２】
好ましい一態様によれば、前記補助図柄の色は、最も近い位置に配置された前記ペット図柄の色と異なっており、該異なる色の程度が、オストワルト色相環によって分類された２４色の色票で、２以上ずれているものであってよい。
【００３３】
使用者は、ペット図柄と補助図柄を区別して認識し易くなる。使用者は、ペット図柄を視認することによって使用対象のペットを容易に把握できる。
【００３４】
好ましい一態様によれば、前記ペット図柄は、前記使用対象の顔を含む身体全体を示す図柄であってよい。
【００３５】
ペット図柄が身体全体を示すことにより、使用者が対象のペットをより把握し易くなる。使用者は、ペット図柄を視認することによって使用対象のペットを容易に把握できる。
【００３６】
好ましい一態様によれば、前記吸収体と重なる領域において前記着色部の周囲設けられ、かつ前記表面シートの表面側から視認可能な背景部を有し、前記ペット図柄の色は、前記背景部の色と異なっており、前記異なる色の程度が、オストワルト色相環によって分類された２４色の色票で、２以上ずれてよい。
【００３７】
ペット図柄が背景部に対して目立ち、使用者は、ペット図柄をより認識し易くなる。使用者は、ペット図柄を視認することによって使用対象のペットを容易に把握できる。
【００３８】
（２）ペット用吸収性シートの構成
以下、図面を参照して、実施形態に係るペット用吸収性シートについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３９】
本明細書において、「ペット」は、脊椎動物や無脊椎動物を広く包含し、典型的には、猫、犬、ウサギ、ハムスターなどの愛玩動物を含む。本実施の形態のペット用吸収性シートは、猫用の吸収性シートである。
【００４０】
図１は、第１実施形態に係るペット用吸収性シートの排泄面側から見た状態の平面図である。図２は、図１に示すＡ−Ａ線に沿ったペット用吸収性シートの模式的断面図である。図３は、図１のＢ部分の拡大平面図である。ペット用吸収性シート１０は、概して平坦なシートである。ペット用吸収性シート１０の一方の面は、ペットの排泄物を受ける排泄面である。本実施の形態においては、排泄面を構成する面を表面１０１とし、非排泄面を構成する面を裏面１０２として説明する。図３において、厚さ方向Ｔにおける表面側Ｔ１と裏面側Ｔ２を示す。
【００４１】
ペット用吸収性シートは、厚さ方向Ｔと直交する第１方向Ｄ１及び第２方向Ｄ２を有する。第１方向Ｄ１と第２方向Ｄ２は、互いに直交する。第１方向Ｄ１と第２方向Ｄ２は、平面方向に延びる方向である。本実施の形態の第１方向Ｄ１は、平面視における長手方向であり、第２方向Ｄ２は、長手方向に直交する幅方向である。なお、変形例において、第１方向Ｄ１は、平面視における幅方向であって、第２方向Ｄ２は、長手方向であってよい。
【００４２】
ペット用吸収性シート１０は、表面側Ｔ１に配置される表面シート１２と、裏面側Ｔ２に配置される裏面シート１４と、吸収体２０と、を有する。吸収体２０は、表面シート１２と裏面シート１４との間に設けられている。
【００４３】
表面シート１２は、ペットの排泄物のような液体を透過する透液性シートであってよい。透液性シートは、例えば透液性を有する不織布、又は開口フィルムによって構成されていてよい。裏面シート１４は、ペットの排泄物のような液体を透過しない不透液性シートであってよい。裏面シート１４は、特に制限されないが、例えば樹脂フィルムシートによって構成されていてよい。本実施の形態の裏面シート１４は、裏面シート１４の全体が着色されている。裏面シート１４は、後述する第１色又は第２色によって着色されていてもよい。
【００４４】
裏面シート１４の一部は、吸収体２０よりも外側へ延びている。ペット用吸収性シート１０の外周部１８に配置された裏面シートの着色部は、表面側Ｔ１から裏面シート１４が視認可能であり、本発明における「外周着色部」を構成する。外周着色部は、吸収体の周囲において表面シート１２の表面側から視認可能である。使用者は、外周部１８に位置する裏面シート１４を、表面シート１２を介して視認可能である。
【００４５】
吸収体２０は、吸収コア３０と、吸収コア３０を包むコアラップ３３と、を含んでいてよい。コアラップ３３は、吸収コア３０の表面側Ｔ１を覆う第１コアラップ３３ａと、吸収コア３０の裏面側Ｔ２を覆う第２コアラップ３３ｂと、を含んでいてよい。
【００４６】
吸収コア３０は、特に限定されないが、パルプのような親水性繊維層、及び高吸収性ポリマー（ＳＡＰ）、又はこれらの組合せを含んでいてよい。コアラップ３３は、特に限定されないが、例えば透液性のティッシュから構成することができる。
【００４７】
ペット用吸収性シート１０は、吸収体２０と重なる領域において表面シート１２の表面側Ｔ１から視認可能な着色部８０を有する。着色部８０は、表面シート１２の裏面側Ｔ２に配置されている。本実施の形態の着色部８０は、第１コアラップ３３ａの表面側Ｔ１の面に印刷されている。なお、変形例において、着色部８０は、表面シート１２の裏面側の面に設けられていてもよいし、吸収コア３０の表面側Ｔ１の面に設けられていてもよいし、表面シート１２と吸収体２０の間にセカンドシートを設け、当該セカンドシートの表面側Ｔ１の面に設けられていてもよい。
【００４８】
着色部８０は、使用対象のペットの顔を示すペット図柄８１と、ペット以外を示す補助図柄８４と、を有してよい。ペット図柄８１は、少なくともペットの顔を示す柄を含んでいればよく、ペットの身体を示す柄を含んでいてもよい。補助図柄８４は、ペット以外を示す柄であり、ハート柄、星柄など、任意の柄であってよい。
【００４９】
着色部８０は、第１色によって着色された第１着色部８０Ａと、第１色と異なる第２色によって着色された第２着色部８０Ｂと、を有してよい。具体的には、ペット図柄８１は、第１色によって着色された第１ペット図柄８１Ａと、第２色によって着色された第２ペット図柄８１Ｂと、を有してよい。また、補助図柄８４は、第１色によって着色された第１補助図柄８４Ａと、第２色によって着色された第２補助図柄８４Ｂと、を有してよい。第１着色部８０Ａは、第１ペット図柄８１Ａと、第１補助図柄８４Ａと、を有する。第２着色部８０Ｂは、第２ペット図柄８１Ｂと、第２補助図柄８４Ｂと、を有する。すなわち、第１ペット図柄８１Ａと第１補助図柄８４Ａは、同じ色によって着色されている。また、第２ペット図柄８１Ｂと第２補助図柄８４Ｂは、同じ色によって着色されている。なお、第１ペット図柄８１Ａと第１補助図柄８４Ａは、主に第１色によって着色されていればよく、第１色以外の色によって部分的に着色されていてもよい。同様に、第２ペット図柄８１Ｂと第２補助図柄８４Ｂは、主に第２色によって着色されていればよく、第２色以外の色によって部分的に着色されていてもよい。主となる色で着色された状態とは、図柄の９０％以上を主となる色で着色された状態である。
【００５０】
第１ペット図柄８１Ａと第２ペット図柄８１Ｂを有することにより、装飾性を高め、使用者の注目を集めることができる。また、第１ペット図柄８１Ａと第２ペット図柄８１Ｂが異なる色であるため、両者が一体化して認識されず、それぞれを目立たせることができる。使用者は、ペット図柄を視認することによって使用対象のペットを容易に把握できる。
【００５１】
また、ペット図柄は、使用対象である猫の顔を示してよい。使用者は、ペット図柄を視認することにより、猫が使用対象であることを容易に把握できる。
【００５２】
着色部８０は、対象ペット以外のペットを示す非対象図柄を有しなくてよい。対象ペット以外のペットとは、猫用の吸収性シートにあっては、猫以外のペットである犬、ウサギ、ハムスター等のペットである。ペットを示す図柄は、ペットの顔のみならず、ペットの身体の一部や、好物を示す柄を含む概念である。非対象図柄を有しないため、複数の使用対象のペットがいる場合であっても、対象を間違えることなく使用することができる。
【００５３】
ペット図柄は、使用対象の顔を含む身体全体を示す図柄であってよい。ペット図柄が身体全体を示すことにより、使用者が対象のペットをより把握し易くなる。使用者は、ペット図柄を視認することによって使用対象のペットを容易に把握できる。
【００５４】
ペット図柄８１の数は、図柄全体の数に対する５０％以上であってよい。図柄全体においてペット図柄８１がよりも目立ちやすく、使用者は、ペット図柄８１を視認することによって使用対象のペットを容易に把握できる。また、ペット図柄８１の数は、補助図柄８４の数以上であってよい。補助図柄８４に対してペット図柄８１が目立ちやすく、使用者は、ペット図柄を視認することによって使用対象のペットを容易に把握できる。
【００５５】
ペット図柄８１の最大寸法は、補助図柄８４の最大寸法よりも大きくてよい。より好適には、第１方向Ｄ１の最大寸法は、補助図柄８４の第１方向Ｄ１の最大寸法よりも大きくてよい。また、ペット図柄８１の第２方向Ｄ２の最大寸法は、補助図柄８４の第２方向Ｄ２の最大寸法よりも大きくてよい。補助図柄８４に対してペット図柄８１が目立ちやすく、使用者は、ペット図柄８１を視認することによって使用対象のペットを容易に把握できる。使用者は、ペット図柄８１によって使用対象のペットである猫を認識し易く、複数の使用対象のペットがいる場合であっても、使用対象を間違える不具合を抑制できる。
【００５６】
第１色は、第２色は、異なる色であればよく、特に限定されない。第１色と第２色の異なる程度は、オストワルト色相環によって分類された２４色の色票で２以上ずれているものであってよい。
【００５７】
また、好適には、第１色は、緑色系の色であってよく、第２色は、紫色系の色であってよい。すなわち、第１着色部８０Ａを構成する第１ペット図柄８１Ａと第１補助図柄８４Ａは、緑色系の第１色によって着色されてよく、第２着色部８０Ｂを構成する第２ペット図柄８１Ｂと第２補助図柄８４Ｂは、紫色系の第２色によって着色されてよい。一般的に、ペットが健康な状態における尿の色は、黄色系であり、ペットが不健康な状態の尿の色は、赤色系である。緑色系の第１着色部８０Ａと紫色系の第２着色部８０Ｂは、いずれも黄色系及び赤色系に対して区別して認識され易い。よって、使用者は、着色部８０と尿とを区別して認識し易く、着色部８０が尿の跡であると誤認することを抑制できる。そのため、使用者は、使用前のペット用吸収性シートを使用後のペット用吸収性シートであると誤認し難くなる。
【００５８】
また、使用者は、尿と着色部８０を区別して認識し易いため、着色部８０に着目できる。着色部８０によってペット用吸収性シートのデザイン性を向上させることができる。また、着色部８０を目立たせることによって、相対的に尿を目立たせなくして、尿の跡をカモフラージュして、尿の隠蔽性を向上させることができる。
【００５９】
ここで、健康な状態の尿の色は、ＲＧＢ表色系に基づくＲの値が２３６~２５５、Ｇの値が２０８~２４１、及びＢの値が２９~８６の範囲にある色である。また、不健康な状態の尿の色は、ＲＧＢ表色系に基づくＲの値が２１３~２２３、Ｇの値が８４~８９、及びＢの値が５３~６９の範囲にある色である。
【００６０】
第１着色部８０Ａは、ＲＧＢ表色系に基づくＲの値が０~１２８、Ｇの値が１６５~１９１、及びＢの値が９０~１１３の範囲にある色であってよい。第１着色部は、Ｒの値、Ｇの値、及びＢの値共に、健康な尿の色及び不健康な尿の色の値と重複してなく、尿に対して区別し易い。
【００６１】
第２着色部８０Ｂは、ＲＧＢ表色系に基づくＲの値が１２７~１８６、Ｇの値が６５~９１、及びＢの値が１３６~１５１の範囲にある色であってよい。第２着色部は、Ｒの値及びＢの値共に、健康な尿の色及び不健康な尿の色の値と重複してなく、尿に対して区別し易い。
【００６２】
これらのＲＧＢの値は、たとえば、市販の色彩計を用いることで計測することができる。本発明における着色部の色は、着色されたシートそのもの色ではなく、表面シートを介して視認した状態の色であり、ＲＧＢの値を測定する際は、ペット用吸収性シートの表面側から測定する。
【００６３】
吸収体と重なる領域において着色部の周囲設けられ、かつ表面シートの表面側から視認可能な背景部８５を有してよい。背景部８５は、着色部８０が設けられていない部分である。本実施の形態の背景部は、吸収体の表面によって構成され、白色である。ペット図柄の色は、背景部の色と異なってよい。異なる色の程度が、オストワルト色相環によって分類された２４色の色票で、２以上ずれている。背景部の色は、ペット図柄の第１色とも異なり、第２色とも異なっている。ペット図柄が背景部に対して目立ち、使用者は、ペット図柄をより認識し易くなる。使用者は、ペット図柄を視認することによって使用対象のペットを容易に把握できる。
【００６４】
着色部８０は、デザインの輪郭に沿って配置され、着色部８０によって囲まれた領域に、背景部８５が設けられてよい。具体的には、ペット図柄８１は、猫の輪郭に沿って配置されており、補助図柄８４は、蝶の輪郭に沿って配置されている。当該輪郭を構成する着色部８０によって囲まれた領域に、背景部８５が設けられている。背景部８５に排尿された場合に、尿と着色部８０を比較することができる。また、背景部８５を囲んで着色部８０が配置されているため、尿の広がり具合を着色部８０によって把握することができる。よって、尿の量を把握することによってもペットの健康状態を把握できる。
【００６５】
図３に示すように、第１ペット図柄８１Ａと重なる領域又は近傍に、第２補助図柄８４Ｂが配置され、第２ペット図柄８１Ｂと重なる領域又は近傍に、第１補助図柄８４Ａが配置されてよい。ここで、近傍に配置された状態とは、２つの図柄の距離が１０ｍｍ以下の状態である。第１ペット図柄８１Ａと第２補助図柄８４Ｂが近接して配置され、かつ第２ペット図柄８１Ｂと第１補助図柄８４Ａが近接して配置されているため、第１着色部８０Ａ及び第２着色部８０Ｂの両方と尿を比較することができる。よって、健康な状態及び不健康な状態を把握し易い。
【００６６】
また、使用者は、第１ペット図柄８１Ａ及び第２ペット図柄８１Ｂを視認して、使用対象のペットを把握できる。よって、複数種類のペットがいる場合であっても、対象であるペットを把握し易い。
【００６７】
加えて、ペット図柄８１と補助図柄８４が一体化して設けられているため、デザイン性を高め、尿の隠蔽効果をより高めることができる。好適には、第１ペット図柄８１Ａと第２補助図柄８４Ｂを組み合わせた第１集合体と、第２ペット図柄８１Ｂと第１補助図柄８４Ａを組み合わせた第２集合体と、の距離Ｌ１３は、第１ペット図柄８１Ａと第２補助図柄８４Ｂの距離Ｌ１１よりも長く、第２ペット図柄８１Ｂと第１補助図柄８４Ａの距離Ｌ１２よりも長くてよい。第１ペット図柄８１Ａと第２補助図柄８４Ｂを組み合わせた第１集合体と、第２ペット図柄８１Ｂと第１補助図柄８４Ａを組み合わせた第２集合体と、を認識させ易くなり、ペット図柄８１と補助図柄８４が一体化させることができる。
【００６８】
補助図柄８４の色は、最も近い位置に配置されたペット図柄８１の色と異なっており、該異なる色の程度が、オストワルト色相環によって分類された２４色の色票で、２以上ずれているものであってよい。図３において、第２補助図柄８４Ｂに対して最も近い位置に配置されたペット図柄８１は、第１ペット図柄８１Ａであり、第１補助図柄８４Ａに対して最も近い位置に配置されたペット図柄は、第２ペット図柄８１Ｂである。使用者は、ペット図柄と補助図柄を区別して認識し易くなる。使用者は、ペット図柄を視認することによって使用対象のペットを容易に把握できる。
【００６９】
第１ペット図柄８１Ａの最大寸法は、第２補助図柄８４Ｂの最大寸法よりも大きく、第２ペット図柄８１Ｂの最大寸法は、第１補助図柄の８４Ａの最大寸法よりも大きくてよい。第１ペット図柄８１Ａ及び第２ペット図柄８１Ｂが目立ちやすく、使用者は、使用対象のペットを把握できる。
【００７０】
外周着色部８７は、第１色と類似色であってよい。該類似色の程度は、オストワルト色相環によって分類された２４色の色票で、同じ色票であるか色相番号が１つだけずれた範囲のものである。外周着色部と第１色図柄を一体化して、装飾性を高め、使用者の注目を集めることができる。また、外周着色部と第１色図柄が一体化することにより、第２色図柄が相対的に目立ち易くなる。使用者は、第１色図柄又は第２色図柄を認識することによって使用対象のペットを容易に把握できる。
【００７１】
次いで、図４に基づいて第２実施形態に係るペット用吸収性シート１０Ｘを説明する。図４は、第２実施形態に係るペット用吸収性シートの排泄面側から見た平面図である。なお、第２実施形態の説明において、上述の第１実施形態と同様の構成については、同符号を用いて説明を省略する。
【００７２】
第２実施形態の着色部８０Ｘは、ペット図柄８１１と、非対象図柄８３と、を有し、補助図柄を有しない。非対象図柄８３は、使用対象以外のペットである犬を示す柄である。具体的には、非対象図柄は、犬の全体を示す柄と、犬の好物の骨を示す柄と、を含む。ペット図柄８１の数は、非対象図柄８３の数に対する２倍以上であってよい。使用者は、ペット図柄を視認することにより、使用対象のペットを容易に把握できる。ペット図柄の数が非対象図柄の数の２倍以上であるため、使用者は、ペット図柄が対象であると認識し易く、使用対象を間違える不具合を抑制できる。複数の使用対象のペットがいる場合であっても、対象を間違えることなく使用することができる。
【００７３】
ペット図柄８１の最大寸法は、非対象図柄８３の最大寸法より大きくてよい。ペット図柄８１が非対象図柄８３よりも目立ちやすく、使用者は、ペット図柄８１を視認することによって使用対象のペットを容易に把握できる。
【００７４】
非対象図柄８３の色は、最も近い位置に配置されたペット図柄８１の色と異なっており、該異なる色の程度が、オストワルト色相環によって分類された２４色の色票で２以上ずれているものであってよい。使用者は、ペット図柄８１と非対象図柄８３を区別して認識し易くなる。使用者は、ペット図柄８１を視認することによって使用対象のペットを容易に把握できる。
【００７５】
ペット図柄８１１は、第１色で着色された第１ペット図柄８１１Ａと、第２色で着色された第２ペット図柄８１１Ｂと、を有する。第１ペット図柄８１１Ａと第２ペット図柄８１１Ｂは、輪郭のみならず、塗りつぶしされた図柄である。ペット図柄がより目立ちやすくなる。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００７７】
上記態様によれば、使用者が使用対象を把握し易いペット用吸収性シートを提供できる。
【符号の説明】
【００７８】
１０、１０Ｘ    ：ペット用吸収性シート
１２    ：表面シート
１４    ：裏面シート
２０    ：吸収体
３０    ：吸収コア
３３    ：コアラップ
８０、８０Ｘ    ：着色部
８０Ａ    第１着色部
８０Ｂ    第２着色部
８１、８１１    ：ペット図柄
８１Ａ、８１１Ａ  ：第１ペット図柄（第１着色部）
８１Ｂ、８１１Ｂ  ：第２ペット図柄（第２着色部）
８４    ：補助図柄
８４Ａ  ：第１補助図柄（第１着色部）
８４Ｂ  ：第２補助図柄（第２着色部）
８５    ：背景部
Ｒ１    ：着色領域
Ｒ２    ：非着色領域
Ｒ３    ：第２非着色領域
Ｔ      ：厚さ方向
Ｔ１    ：表面側
Ｔ２    ：裏面側
Ｄ１      ：第１方向
Ｄ２      ：第２方向
【図１】
0003218665.tif 000003
【図２】
0003218665.tif 000004
【図３】
0003218665.tif 000005
【図４】
0003218665.tif 000006